(57)【要約】【課題】  花火の打ち上げ用の筒、或いは、大砲等の砲身内の残さ、錆等を除去する際に有益な砲身内の掃除具の提供。【解決手段】  適宜の長さを持つシャフト１の先端部に固定した鍔２の部分に適度の肉厚と若干の柔軟度を有するパット３を取付け、パット３の外周面に適度の柔軟度を持つ払拭部材４或いは適度の肉厚と柔軟性を有するクッションシ−ト７を装着し、そして、素材の弾力性を利用して前記払拭部材４クッションシ−ト７を砲身の内壁面に圧接させるようにした。【選択図】図１
2008101889.tif 000002
【特許請求の範囲】
【請求項１】
適宜の長さを持ち、先端部に鍔２を固定してなるシャフト１と、該シャフト１の前記鍔２部分に固定した適度の肉厚と若干の柔軟度を有する円形状のパット３と、該パット３の外周に装着固定してなる不織布で適度の柔軟度を持つ払拭部材４とからなる砲身内の掃除具。
【請求項２】
前記払拭部材４は、長さ方向の両側に適度の深さを持つ複数個のＶ字型の切り込み４ａを入れて左右対称的な複数個の舌片４ｂと、中央長手方向に貼着した適度の肉厚と柔軟性を持つクッション部材４ｃとからなる請求項１記載の砲身内の掃除具。
【請求項３】
前記払拭部材４のクッション部材４ｃが前記パット３の外周面に当たるようにして払拭部材４をパットに被覆し、該払拭部材４の前記舌片４ｃをパット３の上下面に折畳み、舌片４ｂの端部に穿った止孔４ｄとパット３の軸孔３ａにシャフ１の先端部を挿通して下部にプレ−ト５を当接し、該シャフト１の下部に設けた螺子部に蝶ナット６を締着してなる請求項１記載の砲身内の掃除具。
【請求項４】
適宜の長さを持ち、先端部に鍔２を固定してなるシャフト１と、該シャフト１の前記鍔２部分に固定した適度の肉厚と若干の柔軟度を有する円形状のパット３と、該パット３の外周に適度の肉厚と柔軟性を有するクッションシ−ト７を貼着してなる砲身内の掃除具。
【発明の詳細な説明】
【技術分野】
【０００１】  本発明は、火薬を使用して物体を放出する砲身の内部の掃除具に関するものである。
【背景技術】
【０００２】  花火の打ち上げ用の筒、或いは、大砲等の砲身特に薬室内には、残さ、錆等が付着し、これを放置しておくと事故を誘発する原因となるために、これらの残さ、錆等を除去する必要がある。【０００３】  従来、これらの掃除用具が皆無であるために、手作りで棒状の柄の先端に、布切れ等を装着し、この布切れに掃除用の特殊液を含浸させて掃除をしている。
【発明の開示】
【発明が解決しようとする課題】
【０００４】  前記従来の掃除具によると、掃除面の充分な摩擦力が得られず、しかも、単なる布切れでは腰がないため、残さ、錆等をきれいに除去することが困難であり、この掃除が不充分状態で花火の打ち上げ、或いは、大砲等を発砲すると思わぬ事故につながるケ−スがある。【０００５】  本発明は、従来品の欠点を一掃するために創作されたもので、花火の打ち上げ筒の内面、或いは、砲身内、特に薬室内に付着する残さ、錆等を完全に除去し得る構造簡単にして廉価に製造可能な新規の掃除具の提供を目的としたものである。
【課題を解決するための手段】
【０００６】  本発明は、前記の目的を達成する手段として、その一つは、適宜の長さを持ち、先端部に鍔２を固定してなるシャフト１と、シャフト１の前記鍔２部分に固定した適度の肉厚と若干の柔軟度を有する円形状のパット３と、パット３の外周に装着固定してなる不織布で適度の柔軟度を持つ払拭部材４とからなり、そしてこの払拭部材４は、長さ方向の両側に適度の深さを持つ複数個のＶ字型の切り込み４ａを入れて左右対象的な複数個の舌片４ｂと、中央部長さ方向に適度の肉厚と柔軟性を持つクッション部材４ｃを有し、前記パット３の上下面に前記舌片４ｂを折畳み、舌片４ｂの端部に穿った止孔４ｃにシャフト１の先端部を挿通し、プレ−ト５を当てて蝶ナツト６で固定するようにしてあり、他の一つは、シャフト１の鍔２部分に固定したパット３の外周に適度の肉厚と柔軟性を有するクッションシ−ト７を貼着した。
【発明の効果】
【０００７】  本発明は、適度の肉厚と若干の柔軟度を有する円形状のパット３の外周に不織布で適度の柔軟性を持った払拭部材４を装着してあり、そして、払拭部材４は、ハット３と同様に円形状を呈するようになり、パット３及び払拭部材４の柔軟度によって適度の腰の強さ及び弾力性が得られ、被掃除体（砲身筒）の内壁面に適度の圧力で密接し、シャフト１の操作によって内部の残さ、錆等を効率よく除去し得る効果が得られるものである。【０００８】  次に、払拭部材４内側にクッション部材４ｃを装着し、パット３と払拭部材４との間にクッション部材４ｃを介在させることによって一層強い弾力性が得られ、被掃除体の内壁面に対する密着度が高められ、さらに高い掃除効果が得られるものである。【０００９】  前記払拭部材４は、両側に複数個の舌片４ｂがあり、この舌片４ｂをバット３の上下面に折り畳むと該舌片４ｂの先端部に穿った止孔４ｄが中心部に集中し、該止孔４ｄにシャフト１の先端部を挿通し、プレ−ト５を介して蝶ナット６を螺締すれば簡便且つ強固に取付けることが可能となり、部品の交換等が非常に便利である。【００１０】  更に、前記払拭部材４を排除し、ハツト３の外周面に適度の肉厚と若干の柔軟度を持つクッションシ−ト７を装着固定した場合でも顕著な掃除効果が得られ、この構造によると製造コストも削減することが可能であり、ユ−ザ−等に廉価に提供することができるものである。
【発明を実施するための最良の形態】
【００１０】  本発明の具体的な構成を図に基づいて説明すると、シャフト１は、金属製であって、手元に把持部１ａがあり、先端部に固定した鍔２部分に、発砲性樹脂等によって成形され、適度の厚みと若干の柔軟度を持つ円形状のパット３を装着固定する。このパット３を包み込むように適度の厚みと柔軟性を有する不織布製の払拭部材４を被覆し、前記シャフト１の下端にプレ−ト５を当接して蝶ナット６で固定するようになる。【００１１】  前記払拭部材４は、長さ方向の両側に複数個のＶ字型の切り込み４ａを入れて左右対称的な複数個の舌片４ｂを形成すると共に、払拭部材４の中央長手方向にウレタンシ−ト等からなる適度の厚みと柔軟度を持つクッション部材４ｃを貼着し、そして、前記舌片４ｂを前記パット３の上下面に折り畳むと、払拭部材４はパット３を包み込んだ状態で前記舌片４ｂの端部に穿った止孔４ｄが中心部に集中し、シャフト１の先端部を止孔４ｄ及び前記パット１に穿った軸孔３ａに挿通してプレ−ト５を介在して下端の螺子部に蝶ナット６を締着するものである。【００１２】  つぎに、シャフト１の鍔２部分に固定したパット３の外周面に適度の幅員と肉厚を有する前記クッション部材４ｃと同資材からなるクッションシ−ト７を直接貼着することもある。【００１３】  而して、円形状パット３に装着した払拭部材４及びクッションシ−ト７は、パット３と同形状の円形を呈するようになり、これが使用する際には、砲身筒８の内径に対して若干拡径のものを使用することが望ましく、砲身筒に挿入した状態では圧縮状態となって砲身筒の内壁面に圧接し、顕著な掃除効果が得られる。
【図面の簡単な説明】
【００１４】
【図１】  掃除具の要部断面図
【図２】  同底面図
【図３】  掃除具の斜視図
【図４】  掃除具の分解部品斜視図
【図５】  掃除具の斜視図
【図６】  同上要部断面図
【図７】  使用状況を示す斜視図
【符号の説明】
【００１５】    １  シャフト
２  鍔
３  パット
４  払拭部材
５  プレ−ト
６  蝶ナット
７  クッションシ−ト
８
【図１】
2008101889.tif 000003
【図２】
2008101889.tif 000004
【図３】
2008101889.tif 000005
【図４】
2008101889.tif 000006
【図５】
2008101889.tif 000007
【図６】
2008101889.tif 000008
【図７】
2008101889.tif 000009